(57)【要約】【課題】使用環境に応じて、プロジェクタのランプ等の消耗部品の交換時期を適切に設定できる表示装置およびプログラムを提供する。【解決手段】環境設定画面５０には、粉塵量の設定項目５１、設置環境の設定項目５２、地域名の設定項目５３、ＧＰＳ情報の設定項目５４、高度の設定項目５５等の必要な環境情報が入力される。また、温度センサ３６、風量センサ３７、Ｇセンサ３８等、各種のセンサの検出信号がシステムコントローラ１１に送られ、環境情報として入力される。使用環境に関する各種の環境情報を取得し、この取得した環境情報に基づいて、消耗部品の使用限界閾値を設定し、消耗部品の使用時間が使用限界閾値に達したときに、消耗部品のメンテナンスを促すための報知を行う。【選択図】図２
2009223112.tif 000002
【特許請求の範囲】
【請求項１】
使用環境に関する環境情報を取得する環境情報取得手段と、
前記環境情報取得手段により取得した前記環境情報に基づいて、消耗部品の使用限界閾値を設定する使用限界閾値設定手段と、
前記消耗部品の使用量が前記使用限界閾値に達したとき、当該消耗部品のメンテナンスを促すための報知を行う報知手段と、
を備えたことを特徴とする表示装置。
【請求項２】
前記使用環境を検出する使用環境検出手段をさらに備え、
前記環境情報取得手段は、前記環境情報として、前記使用環境検出手段の検出結果を取得することを特徴とする請求項１に記載の表示装置。
【請求項３】
前記環境情報は、空気中における粉塵の量を示す情報であり、
前記使用限界閾値設定手段は、前記粉塵の量が多い場合、前記粉塵の量が少ない場合に比して、前記使用限界閾値を低く設定することを特徴とする請求項２に記載の表示装置。
【請求項４】
前記消耗部品は、ファンフィルタであり、
且つ、前記使用環境検出手段は、前記ファンフィルタの内側に設けられた風量センサであることを特徴とする請求項３に記載の表示装置。
【請求項５】
前記環境情報取得手段は、前記環境情報として、設置場所を示す情報を取得することを特徴とする請求項１または２に記載の表示装置。
【請求項６】
前記消耗部品は、光源として用いられるランプであり、
前記環境情報取得手段は、前記設置場所を示す情報として、ＧＰＳ情報、地域名および高度のうち、１以上の情報を取得することを特徴とする請求項５に記載の表示装置。
【請求項７】
前記消耗部品は、画像形成部材として用いられる液晶パネルであり、
前記環境情報取得手段は、前記設置場所を示す情報として、ＧＰＳ情報、地域名および高度のうち、少なくとも１以上の情報を含むことを特徴とする請求項５に記載の表示装置。
【請求項８】
前記環境情報は、サービス契約の有無に関する情報であり、
前記使用限界閾値設定手段は、前記サービス契約がある場合、前記サービス契約がない場合に比して、前記使用限界閾値を高く設定することを特徴とする請求項１に記載の表示装置。
【請求項９】
コンピュータを、請求項１ないし８のいずれか１項に記載の表示装置における各手段として機能させるためのプログラム。
【発明の詳細な説明】
【技術分野】
【０００１】
本発明は、プロジェクタ等、使用と共に劣化する消耗部品を有する表示装置およびプログラムに関する。
【背景技術】
【０００２】
プロジェクタでは、光源としてランプが用いられており、このランプは、経時変化により劣化するため、所定時間使用したら、交換する必要がある（例えば特許文献１）。また、光学ユニットを冷却するためのファンが設けられ、ファンに対向して、フィルタが配置されている。このフィルタには、ゴミや塵が付着するため、所定時間使用したら、交換する必要がある。そこで、プロジェクタの使用時間をカウントし、所定のランプやフィルタが所定時間以上使用されたら、警告を行うことが考えられる。
【特許文献１】特開平７−１０４２９３号公報
【発明の開示】
【発明が解決しようとする課題】
【０００３】
ところが、これらの消耗部品の限界閾値は、使用環境により異なってくる。例えば、ランプの使用限界閾値は、通常、１０００〜４０００時間程度であるが、高度、温度、湿度、電圧の安定度によっては、それより、短くなったり、長くなったりするようなことがある。例えば、高度の高い地域で使用されたり、湿度や温度が高い地域で使用されたりすると、ランプは短時間で劣化し、使用限界閾値は下がってくる。また、電圧の安定しない国で使用されると、ランプの劣化を早め、使用限界閾値は下がってくる。
【０００４】
また、フィルタについては、工場や野外等、粉塵の多い場所で使用されると、短時間で劣化し、使用限界閾値は下がってくる。また、公害の多い都市や砂漠地帯等では、フィルタの劣化は早くなり、使用限界閾値は下がってくる。
【０００５】
上述の課題を鑑み、本発明は、使用環境に応じて、消耗部品の交換時期を適切に設定できる表示装置およびプログラムを提供することを目的とする。
【課題を解決するための手段】
【０００６】
上述の課題を解決するために、本発明は、使用環境に関する環境情報を取得する環境情報取得手段と、環境情報取得手段により取得した環境情報に基づいて、消耗部品の使用限界閾値を設定する使用限界閾値設定手段と、消耗部品の使用量が使用限界閾値に達したとき、当該消耗部品のメンテナンスを促すための報知を行う報知手段とを備えたことを特徴とする表示装置である。
【０００７】
本発明によれば、環境情報取得手段により取得した環境情報に基づいて消耗部品の使用限界閾値を設定することで、消耗部品の交換時期を適切に設定できる。また、消耗部品の使用量が使用限界閾値に達したときは、消耗部品のメンテナンスを促すための報知を行うため、メンテナンス忘れを防止でき、ひいては良好な状態で表示装置を使用し続けることができる。
【０００８】
本発明は、上記の発明において、使用環境を検出する使用環境検出手段をさらに備え、環境情報取得手段は、環境情報として、使用環境検出手段の検出結果を取得することを特徴とする。なお、環境情報は自動取得しても良いし、ユーザの手動による入力情報を取得しても良い。
【０００９】
本発明によれば、環境情報として使用環境検出手段の検出結果を取得することで、消耗部品の使用限界閾値を適切に設定することができる。また、ユーザが手動で環境情報を設定するなどユーザの手間を軽減できる。
【００１０】
本発明は、上記の発明において、環境情報は、空気中における粉塵の量を示す情報であり、使用限界閾値設定手段は、粉塵の量が多い場合、粉塵の量が少ない場合に比して、使用限界閾値を低く設定することを特徴とする。
【００１１】
本発明によれば、空気中における粉塵の量に応じて、消耗部品の使用限界閾値を適切に設定することができる。
【００１２】
本発明は、上記の発明において、消耗部品は、ファンフィルタであり、且つ、使用環境検出手段は、ファンフィルタの内側に設けられた風量センサであることを特徴とする。
【００１３】
本発明によれば、ファンフィルタの内側に設けられた風量センサにより、空気中における粉塵の量を推定し、これに応じて、ファンフィルタの使用限界閾値を適切に設定することができる。
【００１４】
本発明は、上記の発明において、環境情報取得手段は、環境情報として、設置場所を示す情報を取得することを特徴とする。
【００１５】
本発明によれば、設置場所の環境に応じて、消耗部品の使用限界閾値を適切に設定することができる。
【００１６】
本発明は、上記の発明において、消耗部品は、光源として用いられるランプであり、環境情報取得手段は、設置場所を示す情報として、ＧＰＳ情報、地域名および高度のうち、１以上の情報を取得することを特徴とする。
【００１７】
本発明によれば、設置場所の環境に応じて、ランプの使用限界閾値を適切に設定することができる。
【００１８】
本発明は、上記の発明において、消耗部品は、画像形成部材として用いられる液晶パネルであり、環境情報取得手段は、設置場所を示す情報として、ＧＰＳ情報、地域名および高度のうち、少なくとも１以上の情報を含むことを特徴とする。
【００１９】
本発明によれば、設置場所の環境に応じて、液晶パネルの使用限界閾値を適切に設定することができる。
【００２０】
本発明は、上記の発明において、環境情報は、サービス契約の有無に関する情報であり、使用限界閾値設定手段は、サービス契約がある場合、サービス契約がない場合に比して、使用限界閾値を高く設定することを特徴とする。
【００２１】
本発明によれば、サービス契約の有無に応じて、液晶パネルの使用限界閾値を適切に設定することができる。
【００２２】
本発明は、上記の発明の表示装置における各手段として機能させるためのプログラムである。
【００２３】
本発明によれば、コンピュータにより、環境情報取得手段により取得した環境情報に基づいて消耗部品の使用限界閾値を設定することができる。
【発明を実施するための最良の形態】
【００２４】
以下、本発明の一実施形態に係る表示装置およびプログラムについて図面を参照しながら説明する。なお、ここでは、表示装置として、プロジェクタを例に挙げて説明するが、本発明は、プロジェクタに限らず、使用と共に劣化する消耗部品を有する表示装置には、全て適用可能である。
【００２５】
図１は、本発明の第１の実施形態のプロジェクタ１の全体構成を示すブロック図である。図１において、システムコントローラ１１は、装置全体の制御を行っている。システムコントローラ１１に対して、ＦＲＯＭ（Flash Read Only Memory）１２とＲＡＭ（Random Access Memory）１３とが設けられる。
【００２６】
システムコントローラ１１は、ＣＰＵ（Central Processing Unit）等で構成される。ＦＲＯＭ１２には、制御プログラムの他、各種の設定値が保存される。ＲＡＭ１３には、処理の実行で必要な一時データが読み出し／書き込みされる。
【００２７】
システムコントローラ１１には、入力部１４から入力が与えられる。入力部１４は、ユーザからの操作の入力を受け付ける複数のキーにより構成される。また、システムコントローラ１１には、受光部１５を介して、リモートコントローラ１６からのコマンド信号が与えられる。また、システムコントローラ１１に対して、通信部１７が設けられる。この通信部１７を介して、外部の機器との間で、データのやり取りを行ったり、外部の機器との連携操作を行ったりすることができる。また、システムコントローラ１１に対して、各種の設定状態や警告表示を行うためのＬＥＤ(Light Emitting Diode)表示部１８や、各種の警告音を発生するブザー１９が設けられている。さらに、警告の音声合成装置を設けるようにしても良い。
【００２８】
光学ユニット２０は、スクリーン２９に入力ビデオ信号に基づく映像を投射するための光学系を構成している。光学ユニット２０は、ランプ２１と、レンズ２３と、ダイクロイックミラー２４ａ、２４ｂ、２４ｃと、反射ミラー２５ａ、２５ｂと、液晶パネル２６ａ、２６ｂ、２６ｃと、合成プリズム２７と、投射レンズ２８とを含んでいる。
【００２９】
ランプ２１は、例えばメタルハライドランプである。ランプ２１には、ランプ制御部２２から点灯駆動信号が送られる。これにより、ランプ２１は、システムコントローラ１１の制御の下に、白色光を照射する。ランプ２１からの光は、レンズ２３を透過して出射される。
【００３０】
ランプ２１からの光のうち赤色の成分は、Ｒ反射ダイクロイックミラー２４ａで反射され、反射ミラー２５ａを介して、液晶パネル２６ａに照射される。ランプ２１からの光のうち緑色の成分は、Ｇ反射ダイクロイックミラー２４ｂで反射され、液晶パネル２６ｂに照射される。ランプ２１からの光のうち青色の成分は、Ｂ反射ダイクロイックミラー２４ｃで反射され、反射ミラー２５ｂを介して、液晶パネル２６ｃに照射される。
【００３１】
液晶パネル２６ａ、２６ｂ、２６ｃは、それぞれ、Ｒ、Ｇ、Ｂの各色の像を形成するためのものである。各液晶パネル２６ａ、２６ｂ、２６ｃには、液晶コントローラ４８から、Ｒ、Ｇ、Ｂ各色のビデオ信号が供給される。液晶パネル２６ａ、２６ｂ、２６ｃの各画素の透過率は、液晶コントローラ４８からの各色のビデオ信号により変化する。
【００３２】
各色の液晶パネル２６ａ、２６ｂ、２６ｃの通過光は、合成プリズム２７で合成され、入力ビデオ信号に基づく光画像が形成される。この光画像は、投射レンズ２８を介して、スクリーン２９に投影される。
【００３３】
投射レンズ２８のレンズ位置は、レンズ駆動モータ３０により調整できる。レンズ駆動部３１には、システムコントローラ１１から駆動信号が供給される。レンズ駆動モータ３０は、この駆動信号により、システムコントローラ１１の制御の下に、駆動される。
【００３４】
光学ユニット２０は、ランプ２１を点灯させているため、大きな発熱を伴う。そこで、光学ユニット２０を冷却するためのファン３２が設けられる。ファン３２に対向してフィルタ３３が配置される。ファン３２には、ファン駆動部３５からの駆動信号が供給される。ファン３２は、この駆動信号により、システムコントローラ１１の制御の下に、回転される。
【００３５】
また、本発明の第１の実施形態のプロジェクタ１には、温度センサ３６、風量センサ３７、Ｇセンサ３８等、各種のセンサが設けられている。温度センサ３６は、光学ユニット２０の近傍または内部の温度を検出している。風量センサ３７は、フィルタ３３の内側に配置され、フィルタ３３を介して流入される空気の流量を検出している。Ｇセンサ３８は、プロジェクタ１に加えられた衝撃を検出している。これらセンサの検出信号は、システムコントローラ１１に送られる。
【００３６】
さらに、本発明の第１の実施形態のプロジェクタ１には、ＧＰＳ（Global Positioning System）レシーバ３９が設けられている。このＧＰＳレシーバ３９は、プロジェクタの設置位置（緯度、経度、高度）を検出している。このＧＰＳレシーバ３９の検出信号は、システムコントローラ１１に送られる。
【００３７】
ソース信号入力部４１には、コンポジットカラービデオ信号、Ｓビデオ信号、コンポーネントカラービデオ信号、アナログＲＧＢ信号、ディジタルＲＧＢ信号等、複数種類のビデオ入力端子が配列されている。システムコントローラ１１からのソース切り替え信号により、ソース信号入力部４１に入力された各種のビデオ信号中から、所望の信号が選択される。選択されたビデオ信号は、入力映像変換部４２に送られる。
【００３８】
入力映像変換部４２は、アナログの入力信号をディジタル化するＡ／Ｄ(Analog to Digital)変換部や、コンポジットカラービデオ信号からＲＧＢコンポーネントカラービデオ信号をデコードするデコーダ等を備えており、ソース信号入力部４１から送られてきた各種のビデオ信号を、所定の形式、例えばディジタルＲＧＢ信号に変換する。入力映像変換部４２からのビデオ信号は、イメージプロセッサ４５に送られる。
【００３９】
イメージプロセッサ４５は、入力ビデオ信号に対して、液晶パネル２６ａ、２６ｂ、２６ｃの画素数に応じたスケーリング処理を行う。また、イメージプロセッサ４５は、台形歪み等を補正するためのキーストーン補正を行う。イメージプロセッサ４５に対して、フレームメモリ４６が設けられており、スケーリング処理やキーストーン補正処理は、フレームメモリ４６を用いて行われる。また、イメージプロセッサ４５において、入力ビデオ信号に対して、液晶の面ムラ補正や、ガンマ補正処理等が行われる。
【００４０】
ＯＳＤ（On Screen Display）発生部４７は、システムコントローラ１１からの制御の下に、各種の表示信号を生成する。この表示信号は、イメージプロセッサ４５に送られ、投射するビデオ信号に合成される。
【００４１】
イメージプロセッサ４５からの出力信号は、液晶コントローラ４８に送られる。液晶コントローラ４８は、液晶パネル２６ａ、２６ｂ、２６ｃを駆動するための各種のタイミング信号を生成する。
【００４２】
また、液晶コントローラ４８は、ＲＧＢ各色のビデオ信号を画素毎にＤ／Ａ変換し、交流駆動を行うために、正極性のビデオ信号と負極性のビデオ信号を生成する。液晶コントローラ４８からの各色のビデオ信号は、液晶パネル２６ａ、２６ｂ、２６ｃにそれぞれ供給される。
【００４３】
前述したように、本発明の第１の実施形態のプロジェクタ１では、光源としてランプ２１が用いられている。このランプ２１は、経時変化により劣化するため、所定時間使用したら、交換する必要がある。また、本発明の第１の実施形態のプロジェクタ１では、光学ユニット２０を冷却するためのファン３２が設けられ、ファン３２に対向して、フィルタ３３が配置されている。このフィルタ３３には、ゴミや塵が付着するため、所定時間使用したら、交換する必要がある。このように、ランプ２１やフィルタ３３は、所定時間使用したら交換が必要な消耗部品である。さらに、液晶パネル２６ａ、２６ｂ、２６ｃも、経時変化により劣化し、所定時間使用したら交換が必要な消耗部品である。
【００４４】
これらの消耗部品の限界閾値は、使用環境により異なってくる。例えば、ランプ２１の使用限界閾値は、通常、１０００〜４０００時間程度であるが、高度、温度、湿度、電圧の安定度によっては、それより、短くなったり、長くなったりするようなことがある。例えば、高度の高い地域で使用されたり、湿度や温度が高い地域で使用されたりすると、ランプ２１は短時間で劣化し、使用限界閾値は下がってくる。また、電圧の安定しない国で使用されると、ランプ２１の劣化を速め、使用限界閾値は下がってくる。
【００４５】
また、フィルタ３３については、工場や野外等、粉塵の多い場所で使用されると、短時間で劣化し、使用限界閾値は下がってくる。また、公害の多い都市や砂漠地帯等では、フィルタ３３の劣化は速くなり、使用限界閾値は下がってくる。
【００４６】
液晶パネル２６ａ、２６ｂ、２６ｃについても、粉塵の量、温度、湿度によって、使用限界閾値は異なってくる。
【００４７】
そこで、本発明の第１の実施形態のプロジェクタ１では、使用環境に関する各種の環境情報を取得し、この取得した環境情報に基づいて、消耗部品の使用限界閾値を設定し、消耗部品の使用時間が使用限界閾値に達したときに、消耗部品のメンテナンス（交換や修理など）を促すための報知を行うようにしている。
【００４８】
つまり、プロジェクタ１の使用開始時（例えば納品時）に、サービスマン（営業担当者）は、入力部１４又はリモートコントローラ１６の操作により、図２に示すような環境設定画面５０を表示させる。この環境設定画面５０には、粉塵量の設定項目５１、設置環境の設定項目５２、地域名の設定項目５３、ＧＰＳ情報の設定項目５４および高度の設定項目５５が含まれている。さらに、サービス契約の設定項目５６が含まれている。入力部１４又はリモートコントローラ１６を操作することで、これらの設定項目５１〜５６に必要な環境情報を入力できる。
【００４９】
なお、ＧＰＳの設定項目５４については、ＧＰＳレシーバ３９からの情報を用いて自動設定することもできる。ＧＰＳ情報が取得できない場合や正しく入力できない場合には、入力部１４又はリモートコントローラ１６の操作により、ＧＰＳ情報を変更することができる。また、地域名の設定項目５３や高度の設定項目５５についても、ＧＰＳレシーバ３９からの情報を用いて設定することができる。
【００５０】
また、粉塵の量の設定項目５１については、フィルタ３３を介して流入される空気の流量を検出する風量センサ３７の検出値を用いて、自動設定することもできる。粉塵の量が多ければ、風量センサ３７の風量検出値は小さくなる。例えば、風量センサ３７の値が２００ｍｍ／ｓ以上なら、寿命は４０００時間、風量センサ３７の値が１５０〜１９９ｍｍ／ｓなら、寿命は３７００時間、風量センサ３７の値が１００〜１４９ｍｍ／ｓなら、寿命は３５００時間、風量センサ３７の値が１００ｍｍ／ｓ未満なら寿命は３０００時間である。
【００５１】
サービス契約の設定項目５６は、サービス契約の有無に関して設定する。なお、「サービス契約」とは、顧客とメーカ（製造元や保守専門業者）との間で交わされる、修理や各種保証などの保守サービスに関する契約である。一般的にサービス契約は有料であるが、サービス契約がある場合、無い場合に比べて手厚い保守サービス（消耗部品を短期間で購入することができる等）を受けることができる。
【００５２】
図２に示すような環境設定画面５０で、各環境情報を入力して、終了ボタン６０を押すと、この環境情報に基づいて、各消耗部品の使用限界閾値が設定される。例えば、平均気温が２０度の温帯地域でのランプ２１の通常の使用限界閾値が４０００時間であったとする。これに対して、環境設定画面５０の設置環境の設定項目５２に入力された設置場所が、平均気温が３０度を越すような熱帯地域であったとする。この場合には、ランプ２１の使用限界閾値が２０００時間に変更される。
【００５３】
また、サービス契約を結んでおくと、消耗部品を短時間で購入できる。そこで、サービス契約の有無に関する設定項目５６で、サービス契約ありと設定されていると、使用限界閾値が延長される。
【００５４】
プロジェクタ１が使用されているときには、上述のように設定された各消耗部品の使用限界閾値と、それまでの消耗部品の通算の使用時間とが比較され、消耗部品の通算の使用時間が使用限界閾値に達すると、消耗部品のメンテナンスを促すための報知が行われる。この報知の方法は、画面表示、ＬＥＤ点灯、音声報知、ＬＡＮや電子メールを用いた報知等、種々のものが考えられる。
【００５５】
図３は、本発明の第１の実施形態のプロジェクタ１において、環境情報を設定して、各消耗部品の使用限界閾値を設定する際の処理を示すフローチャートである。
【００５６】
図３において、システムコントローラ１１は、入力部１４又はリモートコントローラ１６の操作により、環境情報設定の入力が指示されると（ステップＳ１）、図２に示したような環境設定画面５０を表示させる（ステップＳ２）。そして、システムコントローラ１１は、終了ボタン６０が設定されたか否かを判断し（ステップＳ３）、終了ボタン６０が設定されたら、入力された環境情報を取り込む（ステップＳ４）。
【００５７】
環境情報が取り込まれたら、システムコントローラ１１は、ＦＲＯＭ１２から、ランプ２１、フィルタ３３、液晶パネル２６ａ、２６ｂ、２６ｃ等の消耗部品の使用限界閾値を読み出し、環境情報に基づいて、この使用限界閾値を補正する（ステップＳ５）。そして、システムコントローラ１１は、この補正された使用限界閾値を、ＦＲＯＭ１２に保存させる（ステップＳ６）。
【００５８】
図４は、本発明の第１の実施形態のプロジェクタ１において、消耗部品の交換時期が到来したことを報知する処理を示すフローチャートである。
【００５９】
図４において、システムコントローラ１１は、ＦＲＯＭ１２から、環境情報に基づいて補正された使用限界閾値を読み出す（ステップＳ１１）。そして、システムコントローラ１１は、現在までの消耗部品の通算の使用時間を取得し（ステップＳ１２）、消耗部品の通算の使用時間と使用限界閾値とを比較し（ステップＳ１３）、消耗部品の通算の使用時間が使用限界閾値に達していなければ、使用時間に応じて消耗部品の通算の使用時間を経過時間により増加させて（ステップＳ１４）、ステップＳ１２にリターンする。
【００６０】
ステップＳ１３で、消耗部品の通算の使用時間が使用限界閾値に達したと判断されると、システムコントローラ１１は、消耗部品の交換時期が到来したことを報知する（ステップＳ１５）。そして、システムコントローラ１１は、消耗部品が交換されたかどうかを判断し（ステップＳ１６）、消耗部品が交換されていなければ、ステップＳ１５にリターンして、報知を継続して行う。
【００６１】
消耗部品が交換された判断されと、システムコントローラ１１は、通算の使用時間をリセットする（ステップＳ１７）。
【００６２】
なお、ステップＳ１７で、通算の使用時間をリセットさせる際に、消耗部品を交換したことを自動的に検出して、通算の使用時間をリセットさせても良いし、メンテナンスを行うサービスマンが消耗部品を交換したことを示す入力（リセット操作）を行って、通算の使用時間をリセットさせても良い。
【００６３】
以上説明したように、本発明の第１の実施形態のプロジェクタ１では、使用環境に関する各種の環境情報を取得し、この取得した環境情報に基づいて、消耗部品の使用限界閾値を設定し、消耗部品の使用時間が使用限界閾値に達したときに、消耗部品のメンテナンスを促すための報知を行うようにすることで、環境に応じて、消耗部品を最も適切な時期に交換することができる。
【００６４】
本発明は、上述した実施形態に限定されるものではなく、この発明の要旨を逸脱しない範囲内で様々な変形や応用が可能である。例えば、上述の例のプロジェクタ１は、液晶表示方式を採用しているが、ＣＲＴ表示方式やライトスイッチ表示方式（マイクロミラーデバイス方式）など、表示原理は問わない。
【図面の簡単な説明】
【００６５】
【図１】本発明の第１の実施形態のプロジェクタの全体構成を示すブロック図である。
【図２】本発明の第１の実施形態のプロジェクタにおける環境情報設定の説明図である。
【図３】本発明の第１の実施形態のプロジェクタにおける環境情報設定の説明に用いるフローチャートである。
【図４】本発明の第１の実施形態のプロジェクタにおける消耗部品の交換時期検出の説明に用いるフローチャートである。
【符号の説明】
【００６６】
１：プロジェクタ  １１：システムコントローラ  １４：入力部  ２０：光学ユニット  ２１：ランプ  ３２：ファン  ３３：フィルタ  ３６：温度センサ  ３７：風量センサ  ３９：ＧＰＳレシーバ  ５０：環境設定画面
【図１】
2009223112.tif 000003
【図２】
2009223112.tif 000004
【図３】
2009223112.tif 000005
【図４】
2009223112.tif 000006